(57)【要約】【課題】高圧リード線が配線される場合、該高圧リード線に他の一般リード線が近づかないように所定の絶縁空間距離を確保すると共に、他のリード線を収容することが出来るワイヤーホルダーの提供。【解決手段】外側リング部１１と中央の内側ボス部１２を複数のリブ１３，１４，１５にて連結し、内側ボス部１２の中央空間２３に高圧リード線２４を嵌めて取付け、外側リング部１１を切欠いて中央空間２３へ連通する切欠き部１７を設け、外側リング部１１に形成した切欠き部１７の開口は開閉可能としている。そして切欠き部１７の開口付近には他のリード線２５，２５・・が収容される収容空間１９を外側リング部１１の内側に開閉可能に設けている。【選択図】        図１
2004180398.tif 000002
【特許請求の範囲】
【請求項１】
外側リング部と中央の内側ボス部を複数のリブにて連結し、該内側ボス部の中央空間に高圧リード線を嵌めて取付けるワイヤーホルダーにおいて、外側リング部を切欠いて中央空間へ連通する切欠き部を設け、外側リング部に形成した切欠き部の開口は開閉可能とし、そして切欠き部の開口付近には別のリード線が収容される収容空間を外側リング部の内側に開閉可能に設けたことを特徴とするワイヤーホルダー。
【請求項２】
外側リング部と中央の内側ボス部を複数のリブにて連結し、該内側ボス部の中央空間に高圧リード線を嵌めて取付けるワイヤーホルダーにおいて、内側ボス部から外方向へ２本のリブを延ばして外側リング部に設けた開口と連通する切欠き部を開閉可能に設け、一方側リブを屈曲して設けた補助リブは外側リング部に連結して別のリード線が収容される収容空間を形成し、他方側リブは外側リング部に連結すると共に切欠き部との間を遮蔽するストッパーを設け、そして外側リング部には開口を閉じる為のツメを形成したことを特徴とするワイヤーホルダー。
【発明の詳細な説明】
【０００１】
【発明の属する技術分野】
本発明は高圧リード線からの絶縁空間距離を確保し、しかも別のリード線を保持することが出来るワイヤーホルダーに関するものである。
【０００２】
【従来の技術】
テレビジョン受像機等の配線回路において、多数の電線に高電圧、高周波の電流が印加されるが、この場合、他の電気部品と電線とが電磁気的に互いに干渉し合わないように配線しなくてはならない。そこで、電線を他の電気部品から一定の間隔をあけて保持する手段としてワイヤーホルダーが利用されている。このワイヤーホルダーの従来例としては色々な形態が知られているが、１例として実開平５−８５０８２号に係る「電線保持具」がある。
【０００３】
該電線保持具は、「電線を保持する内側ボス部と、電線を他の部品から離隔する外側リング部とを互いに連結する複数のリブとから成り、前記内側ボス部と前記外側リング部とに切欠部分を設けて電線の導入を容易にした電線保持具であって、前記内側ボス部は、円周方向にほぼ等間隔に離隔された軸方向伸延の３つの円筒形部分と、各円筒形部分に一体に成形された可撓性の薄肉弓形部分とから構成され、前記の各リブは、前記の各弓形部分に一体にそれぞれ連結され、前記切欠部分が、半径方向に扇形状に離隔された１組のリブ及び弓形部分によって画定されている。」
【０００４】
図４はテレビジョン受像機の内部構造を示している具体例であり、フライバックトランス１から延びるアノードケーブル２には上記ケーブルホルダー３が取付けられ、他のケーブルが近づかないように成っている。アノードケーブル２は外側リング部に設けている切欠部４から内側ボス５に嵌って取付けられるが、該切欠部４から別のリード線が侵入して上記アノードケーブル２に近づく場合がある。又、該切欠き部４から内部ボス５に嵌めただけの状態にあるワイヤーホルダーはアノードケーブル２に沿って滑り落ちることもあり、他のリード線との絶縁空間距離を安定して確保することが出来ない。
【０００５】
そこで、アノードケーブルとの絶縁空間距離を確保する為に、外側リング部に別のリード線を結束バンドにて固定して使用する場合もあるが、一々結束バンドを使用してリード線を固定する作業は面倒である。又、結束バンドを使うことでコスト高になり、一度結束したリード線は外すことも不便である。
【０００６】
【発明が解決しようとする課題】
このように、従来のケーブルホルダーには上記のごとき問題がある。本発明が解決しようとする課題はこれら問題点であり、他のリード線を高圧リード線に近づかないように所定の絶縁空間距離を確保することが出来ると共に、別のリード線を収容出来る空間を形成したワイヤーホルダーを提供する。
【０００７】
【課題を解決する為の手段】
本発明に係るワイヤーホルダーは、アノードケーブル等の高圧リード線に別のリード線が近づかないように絶縁空間距離を確保すると共に、別のリード線を支持できるようにしている。そこで、高圧リード線を保持する内側ボス部と高圧リード線を他の部品（部材）から隔離する為の外側リング部を有し、外側リング部と内側ボス部とが互いに連結する複数リブを備えている。
【０００８】
そして、外側リング部から内側ボス部へ連通する切欠き部を設け、該切欠き部を通って高圧リード線が内側ボス部へ導かれて拘束される。この切欠き部は閉じることが出来、その為に内側ボス部は縮まって内部に嵌っている高圧リード線に固定される。一方、外側リング部の切欠き部開口付近には別のリード線を収容する空間を設けている。以下、本発明に係る実施例を図面に基づいて詳細に説明する。
【０００９】
【実施例】
図１は本発明に係るワイヤーホルダーを示す実施例である。該ワイヤーホルダーは同図に示すように、リング状を成して外側リング部１１と内側ボス部１２は複数本のリブ１３，１３，１４ａ，１４ｂ，１５ａ，１５ｂにて連結されている。そしてリブ１４ａ，１４ｂ間には切欠き部１６が、又リブ１５ａ，１５ｂ間には切欠き部１７が設けられている。これら切欠き部１６，１７は内側ボス部１２から外周リング部１１まで延びて開口を有している。
【００１０】
上記内側ボス部１２は切欠き部１７に連通し、内側ボス部１２が変形することで該切欠き部１７の大きさは増減することが出来る。勿論、切欠き部１６の大きさも増減する。一方のリブ１５ａは外側リング部１１まで真っ直ぐに延びておらず、途中で垂直に屈曲して補助リブ１８を有し、該補助リブ１８は外側リング部１１に連結している。そこで、補助リブ１８と外側リング部１１との間には概略三角形の収容空間１９が形成されることになる。
【００１１】
他方のリブ１５ｂにはストッパー２０を上記収容空間１９側へ延ばし、切欠き部１７と収容空間１９との間を遮蔽することが出来る。又、切欠き部１７の開口には外側リング部１１にツメ２１とツメ２２を形成し、切欠き部１７が閉じるならばツメ２１はツメ２２に係止することが出来る（図２参照）。
【００１２】
図２は一方の切欠き部１７が閉じて、他方の切欠き部１６が開いた場合を示している。この場合には、ツメ２１はツメ２２に係止し、又ストッパー２０は補助リブ１８と係合して、収容空間１９は閉じられる。すなわち、該収容空間１９に収容された別のリード線はワイヤーホルダーから外れることはなく、内側ボス部１２の中央空間２３に嵌っている高圧リード線に近づくこともない。
【００１３】
ところで、高圧リード線は切欠き部１７を開いて外側リング部１１の開口から挿入され、内側ボス部１２の中央空間２３に嵌ることになる。図３は高圧リード線２４が内側ボス部１２の中央空間２３に嵌っている場合で、切欠き部１７が閉じることで内側ボス部１２が変形して中央空間２３の大きさが縮小し、高圧リード線２４は圧縮される。従って、ワイヤーホルダーは高圧リード線２４に固定されて滑り落ちることはない。
【００１４】
そして、外側リング部１の開口付近に形成した収容空間１９には別のリード線２５，２５・・が収容されている。以上述べたように、本発明に係るワイヤーホルダーはリング状をした外側リング部の中央には中央空間を形成した内側ボス部を設けると共に、外側リング部と内側ボス部は複数リブにて連結し、中央空間は切欠き部を介して外側リング部に設けた開口と連通し、そして外側リング部の開口付近には収容空間を設けたものであり、次のような効果を得ることが出来る。
【００１５】
【発明の効果】
本発明のワイヤーホルダーはその中央に中央空間を形成した内側ボス部を有し、この中央空間には高圧リード線を嵌め、一方、切欠き部の開口付近に設けた収容空間に別のリード線を収容することが出来る。上記高圧リード線は開口から切欠き部を通して中央空間に嵌められ、切欠き部が閉じることで収容空間に収容した別のリード線は高圧リード線に近づくことはなく、必要な絶縁空間距離を確保することが出来る。
【００１６】
そして、切欠き部の開口付近にはリブから延びたストッパーが設けられて、内側ボス部の中央空間へ通じる切欠き部を塞ぐことが出来る為に、別のリード線を収容空間へ入れる際に不注意で切欠き部を通って高圧リード線に近づくことはない。又、内側ボス部の中央空間に嵌った高圧リード線、及び収容空間に収容された別のリード線は外側リング部の開口を閉じることで、該ワイヤーホルダーから外れず、ワイヤーホルダーは高圧リード線から滑り落ちることなく固定される。
【図面の簡単な説明】
【図１】本発明に係るワイヤーホルダー。
【図２】本発明のワイヤーホルダーの外側リング部開口が閉じた場合。
【図３】高圧リード線にワイヤーホルダーを取付け、別のリード線を収容空間に収容した場合。
【図４】テレビジョン受像機のアノードケーブルに従来のワイヤーホルダーを取り付けた場合。
【符号の説明】
１１  外側リング部
１２  内側ボス部
１３  リブ
１４  リブ
１５  リブ
１６  切欠き部
１７  切欠き部
１８  補助リブ
１９  収容空間
２０    ストッパー
２１    ツメ
２２    ツメ
２３    中央空間
２４    高圧リード線
２５    リード線
【図１】
2004180398.tif 000003
【図２】
2004180398.tif 000004
【図３】
2004180398.tif 000005
【図４】
2004180398.tif 000006